(57)【要約】  本発明は、毛髪繊維を処理するための方法であって、(i)毛髪繊維を梳かす工程と、(ii)組成物を毛髪繊維に適用する工程と、(iii)蒸気を適用することにより、毛髪繊維を処理する工程と、(iv)導電及び/又は放射により、毛髪繊維を熱処理する工程とを含み、工程(i)が、工程(ii)の前に実施される、方法に関する。
2018522662.tif 000002
【特許請求の範囲】
【請求項１】
毛髪繊維を処理するための方法であって、(i)毛髪繊維を梳かす工程(10)と、
(ii)組成物を前記毛髪繊維に適用する工程(12)と、
(iii)蒸気を適用することにより、前記毛髪繊維を処理する工程(14)と、
(iv)導電及び/又は放射により、前記毛髪繊維を熱処理する工程(16)とを含み、
工程(i)が、工程(ii)の前に実施される、
方法。
【請求項２】
工程(ii)の後15秒間以内に、梳かす工程を全く含まない、請求項1に記載の方法。
【請求項３】
単一の梳かす工程を含む、請求項1又は2に記載の方法。
【請求項４】
毛髪繊維を処理するための方法であって、(i)毛髪繊維を梳かす単一の工程(10)と、
(ii)組成物を前記毛髪繊維に適用する工程(12)と、
(iv)前記毛髪繊維を熱処理する工程(16)とを含み、
工程(i)が、工程(ii)の前に実施される、
方法。
【請求項５】
(iii)蒸気を適用することにより、前記毛髪繊維を処理する工程(14)を含む、請求項4に記載の方法。
【請求項６】
工程(iii)が、工程(ii)の後且つ工程(iv)の前に実施され、特に工程(iii)の前且つ工程(ii)の後5分未満、更に良好には1分未満、更に一層良好には30秒未満、優先的には15秒未満に実施される、請求項1から3及び5のいずれか一項に記載の方法。
【請求項７】
工程(i)が、工程(ii)の前5分未満、更に良好には1分未満、更に一層良好には30秒未満、優先的には15秒未満、より優先的には5秒未満に実施される、請求項1から6のいずれか一項に記載の方法。
【請求項８】
工程(iv)が、工程(ii)の後に実施され、特に工程(ii)の後5分未満、更に良好には1分未満、更に一層良好には30秒未満、優先的には15秒未満に実施される、請求項1から7のいずれか一項に記載の方法。
【請求項９】
前記方法の工程が、少なくとも2つの異なる用具によって実施される、請求項1から8のいずれか一項に記載の方法。
【請求項１０】
梳かす工程(i)及び組成物を適用する工程(ii)が、単一の用具を使用して実施される、請求項1から9のいずれか一項に記載の方法。
【請求項１１】
前記方法の工程が、単一の用具を使用して、特に、様々な前記工程を毛髪繊維の同じ部分で連続的に実施するように構成されている頭髪を成形するための装置を使用して実施される、請求項1から8のいずれか一項に記載の方法。
【請求項１２】
前記方法の工程が、前記用具を毛髪繊維の房に沿って動かすことによって実施される、請求項9から11のいずれか一項に記載の方法。
【請求項１３】
前記熱処理が、前記毛髪繊維と高温表面との接触により実施される、請求項1から12のいずれか一項に記載の方法。
【請求項１４】
前記熱処理が、90℃以上、好ましくは120℃以上、より好ましくは140℃以上、更により好ましくは170℃以上、且つ/又は230℃未満、好ましくは220℃未満、より好ましくは210℃未満の温度で実施される、請求項1から13のいずれか一項に記載の方法。
【請求項１５】
前記組成物が、適用中に流動状態である、請求項1から14のいずれか一項に記載の方法。
【発明の詳細な説明】
【技術分野】
【０００１】
本発明は、毛髪繊維を処理するための方法に関する。
【背景技術】
【０００２】
毛髪繊維をアイロンで平滑化することが知られている。このアイロンは、ケラチン繊維を高温で平滑化することを可能にする。しかし、良好で平滑な外観を得るために、アイロンを数回通すことが必要であり、このことにより毛髪繊維の処理時間が大幅に延びる。更に、平坦なアイロンを繰り返し適用すると、時には、アイロンの動作温度により、毛髪繊維の損傷が引き起こされることがある。
【０００３】
化粧料を毛髪に適用し、毛髪を蒸気に曝露し、毛髪を熱処理し、毛髪を梳かすことを可能にする装置が、国際出願WO2014/064660から知られている。櫛は、化粧料を適用する部材の下流に配置されるので、梳かす工程は製品適用工程の後に実施される。
【先行技術文献】
【特許文献】
【０００４】
【特許文献１】国際出願WO2014/064660
【発明の概要】
【発明が解決しようとする課題】
【０００５】
人のケラチン繊維を処理するための新規な方法であって、適用される化粧料の特性の恩恵を十分に受けることを可能にし、且つ実施が簡単で速い方法を開発することが求められている。
【課題を解決するための手段】
【０００６】
本発明は、この需要に応じることを目的としており、これは、第1の態様によると、毛髪繊維を処理するための方法であって、
(i)毛髪繊維を梳かす工程と、
(ii)組成物を毛髪繊維に適用する工程と、
(iii)蒸気を適用することにより、毛髪繊維を処理する工程と、
(iv)導電及び/又は放射により、毛髪繊維を熱処理する工程とを含み、
工程(i)が、工程(ii)の前に実施される、方法によりなされる。
【０００７】
製品の適用前に梳かす工程を実施することによって、処理されている房の内部への毛髪製品の浸透を促進することが可能になる。
【０００８】
加えて、方法を実施する用具を毛髪繊維に沿って動かすことが容易になることにより、毛髪繊維の処理がより簡単になる。これは、特に、所定量の製品を付着させるために、使用者が加えなければならない力を減少させることによる。
【０００９】
用語「毛髪繊維」は、人のケラチン繊維、例えば毛髪、又は「エクステンション」として知られる合成繊維を表し、このエクステンションは、様々な手段、特に接着剤の接着により、個人の頭髪に付されるが、これは、例えば個人の自然の頭髪の外観を変化させるためになされる。
【００１０】
方法の工程が、少なくとも2つの異なる用具によって実施されてもよい。
【００１１】
好ましくは、梳かす工程(i)及び毛髪製品を適用する工程(ii)は、単一の用具を使用して実施される。
【００１２】
変形例として、方法の全ての工程は、単一の用具を使用して、特に、様々な工程を毛髪繊維の同じ部分で連続的に実施するように構成されている頭髪を成形するための装置を使用して実施されてもよい。好ましくは、方法の工程は、用具を毛髪繊維の房に沿って動かすことによって実施される。毛髪繊維を熱処理する工程(iv)は、ヘアアイロンを使用して実施されてもよい。
【００１３】
この実施形態によると、本発明の方法は、毛髪の平滑化を改善し、特に毛髪のボリュームを減少させることを可能にする。
【００１４】
工程は、次の順序:
-  (i)、(ii)、(iv)、その後(iii)、
-  (iii)、(i)、(ii)、その後(iv)、
-  (iii)、(iv)、(i)、その後(ii)、
-  (iv)、(iii)、(i)、その後(ii)、
-  (iv)、(i)、(ii)、その後(iii)、又は優先的には
-  (i)、(ii)、(iii)、その後(iv)
で連続的に実施されてもよい。
【００１５】
好ましくは、工程(i)及び(ii)は、例えば、理美容院で同じセッション中に、工程(i)と工程(ii)との間の時間が5分以下、更に良好には1分以下、更に一層良好には30秒以下、優先的には15秒以下、より優先的には5秒以下で実施される。
【００１６】
好ましくは、全ての連続する工程は、工程の間の時間が5分以下、更に良好には1分以下、更に一層良好には30秒以下、優先的には15秒以下で実施される。
【００１７】
方法は、好ましくは、工程(ii)の後15秒以内に、梳かす工程を全く含まない。
【００１８】
好ましくは、方法は単一の梳かす工程を含む。梳かす工程が1回のみであるという事実は、処理の効率に影響を与えることなく、方法を単純化することを可能にする。
【００１９】
好ましくは、工程(iv)は、工程(ii)の後に実施され、特に工程(ii)の後5分未満、更に良好には1分未満に実施され、更に一層良好には工程(ii)の後30秒未満、優先的には15秒未満に実施される。
【００２０】
好ましくは、工程(iii)は、工程(ii)の後且つ工程(iv)の前に実施され、特に工程(iii)の前且つ工程(ii)の後5分未満、更に良好には1分未満、更に一層良好には30秒未満、優先的には15秒未満に実施される。
【００２１】
熱処理は、毛髪繊維と高温表面との接触により、特に、例えば毛髪繊維を平滑化し、スタイリングし、又は解きほぐすことを可能にする張力を毛髪に適用する高温表面との接触により実施されてもよい。
【００２２】
熱処理は、90℃以上、好ましくは120℃以上、より好ましくは140℃以上、更により好ましくは170℃以上、且つ/又は230℃未満、好ましくは220℃未満、より好ましくは210℃未満の温度で実施されてもよく、好ましくは高温表面をこのような温度にする。
【００２３】
工程(iii)中に適用される蒸気の量は、1g/分以上、好ましくは2.5g/分以上、且つ60g/分以下、好ましくは30g/分以下、好ましくは10g/分以下、より好ましくは6g/分以下、更により好ましくは4.5g/分以下であってもよい。工程(iii)中に毛髪繊維に適用される蒸気は、1つ又は複数の化粧成分及び/又は活性剤、例えば香料、及び/又は毛髪成形活性剤及び/又はコンディショニング活性剤を含んでもよい。
【００２４】
毛髪繊維に適用される組成物は、好ましくは、適用中に流動状態である。
【００２５】
組成物は、水性又は無水であってもよい。
【００２６】
組成物は、溶媒、界面活性剤、増粘剤、保存剤、香料、染料前駆体、直接染料、シリコーン若しくは非シリコーン及び固定若しくは非固定ポリマー、脂肪物質、特に鉱物、植物若しくは合成油、及びワックス、還元剤、酸化剤、UV遮蔽剤、コンディショニング剤、フリーラジカル除去剤、封鎖剤若しくは安定剤、酸化防止剤、酸性化剤、アルカリ剤、揮発性若しくは不揮発性シリコーン、反応性若しくは化学的不活性ポリマー、顔料、固体有機若しくは無機粒子、ビタミン、植物抽出物、又は前浸透剤(propenetrating agent)若しくは繊維膨潤剤から選択される少なくとも1つの成分を含んでもよい。
【００２７】
好ましくは、組成物は、毛髪繊維ケア組成物である。
【００２８】
組成物を適用する工程は、すすぎ工程、繊維を洗浄する工程、例えば固定ゲル、毛髪成形ムース、ラッカー又はクリーム形態の洗い流さないコンディショナーを使用して、毛髪を成形又は形状を制御する工程、永久的、半永久的、又は一時的な染色工程、還元剤及び任意で固定剤(fixative)を使用するパーマネント変形工程、アルカリ直毛化(alkaline straightening)工程、特に水酸化ナトリウム又は炭酸グアニジンを用いるアルカリ直毛化工程の前又は後であってもよい。
【００２９】
第2の態様によると、本発明の主題は、毛髪繊維を処理するための方法であって、
(i)毛髪繊維を梳かす単一の工程と、
(ii)組成物を毛髪繊維に適用する工程と、
(iv)毛髪繊維を熱処理する工程とを含み、
工程(i)が、工程(ii)の前に実施される、方法である。
【００３０】
方法は、本発明のこの態様によると、(iii)蒸気を適用することにより、毛髪繊維を処理する工程を任意で含んでもよい。
【００３１】
本発明の第1の態様による方法に関して記載される特徴は、本発明の第2の態様による方法にも適用される。
【００３２】
本発明は、その非限定的な例示的実施形態についての以下の詳細な説明を読むこと及び添付の図面を検討することにより、よりよく理解されるであろう。
【図面の簡単な説明】
【００３３】
【図１】本発明による方法の例示的実施形態を示す図である。
【図２】以下に記載される実施例1によって得られるグラフである。
【図３】以下に記載される実施例2による4つの毛髪の房を表す図である。
【図４】以下に記載される実施例3によって得られるグラフを表す図である。
【発明を実施するための形態】
【００３４】
図1に示される例において、方法は、頭髪を成形するための装置によって毛髪の房に実施される4つの連続する工程10、12、14及び16を含む。装置は、装置を毛髪の房に沿って、特に、アイロンを形成する装置の2つのアームの間に挿入される毛髪繊維の部分で動かすことによって、方法の様々な工程を毛髪繊維に連続的に行うように構成されている。
【００３５】
工程10は、毛髪を梳かす工程であり、工程12で組成物を適用する前に、毛髪繊維を分離することを可能にする。組成物の適用12は、優先的には、工程10の直後に実施される。その後、毛髪繊維に対して、工程12の直後に実施される蒸気処理14が行われる。最後に、毛髪繊維に対して、平滑化することを意図する熱処理16が行われる。毛髪繊維を高温のプレート、特に装置の1つのアームにそれぞれ配置されている高温のプレートと接触させ、このプレートの間に毛髪繊維が堅く保持される。
【００３６】
組成物の適用12は、アームの一方に置かれる適用部材であって、処理を行う毛髪繊維の一部を、他方のアームの対向支持面に対して堅く保持する適用部材を使用して実施されてもよい。変形例として、組成物の適用12は、2つの用具を使用して、特に適用部材及び組成物を毛髪繊維に分散させるための部材を使用して実施されてもよい。
【００３７】
変形例として、上記の様々な工程は、少なくとも2つの異なる装置を用いて実施されてもよい。工程10及び12は、同じ装置、例えば組成物を適用する櫛又はヘアブラシを用いて実施されてもよく、工程14及び16は、同じ装置、特に平滑化装置によって実施されてもよく、又は2つの別個の装置、特に蒸気を適用するための装置及び毛髪を平滑化するための装置によって実施されてもよい。
【実施例１】
【００３８】
本発明による処理に適する第1の装置を、IV型カール性を有する白色人種の天然毛髪の房に使用する。
【００３９】
この房を、櫛を通すことによって梳かした後、房を適用部材と対向支持面との間に挟むことによって、ヘアケア組成物A(配合をTable 1(表1)に示す)を房に適用する。
【００４０】
【表１】
2018522662.tif 000003
【００４１】
その後、流速約3.5g/分の蒸気で房を処理した後、房を装置の2枚のプレートの間に挟み、温度200℃に加熱する。
【００４２】
並行して、第2の装置を前述と同種の毛髪の房に使用する。この装置は、前述と同じ工程を実施することを可能にするが、梳かす工程は製品の適用後に実施される。
【００４３】
これらの2つの処理では、様々な工程の間の時間はほぼ同じであり、毛髪の房は同じバッチからのものである。
【００４４】
引張試験機、特にLloyd LS1(登録商標)を50Nセンサで使用して、毛髪の房を通すことによる装置の機械的強度を測定することにより、梳かす力を測定する。結果をTable 2(表2)及び図2に示す。
【００４５】
【表２】
2018522662.tif 000004
【００４６】
図2のグラフにおいて、梳かす工程が適用工程の上流にある場合(第1の装置での適用)、使用者が装置を毛髪の房に沿って動かすために必要な力は、同量の組成物が適用されるとき、平均で、梳かす工程が適用工程の下流で実施される場合(第2の装置での適用)よりも低いことが注目される。
【００４７】
適用工程の前に梳かす工程を実施すると、組成物の適用を良好に保ちながら、毛髪の房に沿って装置を動かすことが容易になる。
【実施例２】
【００４８】
本発明による処理に適する第1の装置を、IV型カール性を有する白色人種の天然毛髪の房に使用する。
【００４９】
この房を、櫛を通すことによって梳かした後、房を適用部材と対向支持面との間に挟むことによって、組成物Aを房に適用する。その後、流速約3.5g/分の蒸気で房を処理した後、温度200℃に加熱されている2枚のプレートの間に房を挟む。上記の処理を、装置を毛髪の房に沿って15秒間通すことにより実施する。
【００５０】
並行して、第2の装置を前述と同種の毛髪の房に使用する。この第2の装置は、前述と同じ工程を実施することを可能にするが、梳かす工程を組成物の適用後に実施する。処理時間は同じである。
【００５１】
これらの2つの装置では、様々な工程の間の時間はほぼ同一である。
【００５２】
最後に、市販の平滑化装置、この場合にはStyler(登録商標)ghd gold classicを、前述と同種の毛髪の房に使用する。この平滑化装置は、梳かす手段及び組成物を適用するための手段を全く含まない。この装置を毛髪の房に沿って3回、各8秒ずつ通す。
【００５３】
これらの様々な処理のために使用されている毛髪の房は、同じバッチからのものである。
【００５４】
図3は、4つの毛髪の房を表す。左から第1の毛髪の房20は、前述の種類の毛髪の房であり、処理を行っていない。第2の毛髪の房22は、同種の毛髪の房であり、第1の装置で処理されている。第3の毛髪の房24は、同種の毛髪の房であり、第2の装置で処理されている。最後に、最後の毛髪の房26は、同種の毛髪の房であり、市販の装置で処理されている。
【００５５】
梳かす工程を適用工程の上流で実施する場合、より良好に平滑化することが注目される。毛髪繊維はより直毛であり、結果として、互いにより良好に整列する。また、毛髪繊維はより小さなボリュームを占める。
【実施例３】
【００５６】
本発明による第1の処理を、IV型カール性を有する白色人種の天然毛髪の房に実施する。
【００５７】
第1の適用工程において、第1の装置を使用する。装置は、櫛を通すことによって房を梳かした後、適用部材と対向支持面との間に挟むことによって、組成物Aを房に適用することを可能にする。第1の装置を、毛髪の房で2回、15秒通す。
【００５８】
第2の平滑化工程において、毛髪の房を、市販の平滑化装置、この場合には、前述で使用したStyler(登録商標)ghd gold classicに通す。この平滑化装置は、温度190℃に加熱されている2枚のプレートの間に毛髪の房を挟むことを可能にする。この装置を毛髪の房に沿って2回、各15秒ずつ通す。
【００５９】
並行して、第2の処理を前述と同種の毛髪の房に実施する。第2の処理は、適用工程を第2の装置で実施することを除き、第1の処理と同一である。第2の装置は、前述と同じ工程を実施することを可能にするが、梳かす工程を組成物の適用後に実施する。処理時間及び毛髪の房を通す回数は同じである。
【００６０】
2つの処理では、様々な工程の間の時間はほぼ同一である。
【００６１】
引張試験機、特にLloyd LS1(登録商標)を50Nセンサで使用して、毛髪の房を通すことへの各装置の抵抗を測定することにより、適用されている製品の量に応じた梳かす力を決定する。各適用及び平滑化工程について測定を行う。
【００６２】
3つの異なる上述の種類の毛髪の房について、測定を行う。
【００６３】
結果を図4に提示する。
【００６４】
図4のグラフにおいて、梳かす工程が適用工程の上流にある場合(第1の装置での適用)、使用者が第1の装置及び平滑化装置を第1の処理中に毛髪の房に沿って動かすために必要な力は、同量の組成物が適用されるとき、平均で、第2の装置及び平滑化装置を第2の処理中に毛髪の房に沿って動かすために必要な力よりも低いことが注目される。
【００６５】
適用工程の前に梳かす工程を実施すると、組成物の適用を良好に保ちながら、毛髪の房に沿って装置を動かすことが容易になる。
【符号の説明】
【００６６】
10  毛髪を梳かす工程
12  組成物の適用工程
14  蒸気処理工程
16  熱処理工程
20  第1の毛髪の房
22  第2の毛髪の房
24  第3の毛髪の房
26  最後の毛髪の房
【図１】
2018522662.tif 000005
【図２】
2018522662.tif 000006
【図３】
2018522662.tif 000007
【図４】
2018522662.tif 000008
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
毛髪繊維を処理するための方法であって、(i)毛髪繊維を梳かす工程(10)と、
(ii)組成物を前記毛髪繊維に適用する工程(12)と、
(iii)蒸気を適用することにより、前記毛髪繊維を処理する工程(14)と、
(iv)導電及び/又は放射により、前記毛髪繊維を熱処理する工程(16)とを含み、
工程(i)が、工程(ii)の前に実施される、
方法。
【請求項２】
工程(ii)の後15秒間以内に、梳かす工程を全く含まない、請求項1に記載の方法。
【請求項３】
単一の梳かす工程を含む、請求項1又は2に記載の方法。
【請求項４】
毛髪繊維を処理するための方法であって、(i)毛髪繊維を梳かす単一の工程(10)と、
(ii)組成物を前記毛髪繊維に適用する工程(12)と、
(iv)前記毛髪繊維を熱処理する工程(16)とを含み、
工程(i)が、工程(ii)の前に実施される、
方法。
【請求項５】
(iii)蒸気を適用することにより、前記毛髪繊維を処理する工程(14)を含む、請求項4に記載の方法。
【請求項６】
工程(iii)が、工程(ii)の後且つ工程(iv)の前に実施される、請求項1から3及び5のいずれか一項に記載の方法。
【請求項７】
工程(iii)が、工程(iii)の前且つ工程(ii)の後5分未満に実施される、請求項6に記載の方法。
【請求項８】
工程(i)が、工程(ii)の前5分未満に実施される、請求項1から7のいずれか一項に記載の方法。
【請求項９】
工程(iv)が、工程(ii)の後に実施される、請求項1から8のいずれか一項に記載の方法。
【請求項１０】
工程(iv)が、工程(ii)の後5分未満に実施される、請求項9に記載の方法。
【請求項１１】
前記方法の工程が、少なくとも2つの異なる用具によって実施される、請求項1から10のいずれか一項に記載の方法。
【請求項１２】
梳かす工程(i)及び組成物を適用する工程(ii)が、単一の用具を使用して実施される、請求項1から11のいずれか一項に記載の方法。
【請求項１３】
前記方法の工程が、単一の用具を使用して実施される、請求項1から8のいずれか一項に記載の方法。
【請求項１４】
前記単一の用具が、様々な前記工程を毛髪繊維の同じ部分で連続的に実施するように構成されている頭髪を成形するための装置である、請求項13に記載の方法。
【請求項１５】
前記方法の工程が、前記用具を毛髪繊維の房に沿って動かすことによって実施される、請求項11から14のいずれか一項に記載の方法。
【請求項１６】
前記熱処理が、前記毛髪繊維と高温表面との接触により実施される、請求項1から15のいずれか一項に記載の方法。
【請求項１７】
前記熱処理が、90℃以上且つ/又は230℃未満の温度で実施される、請求項1から16のいずれか一項に記載の方法。
【請求項１８】
前記組成物が、適用中に流動状態である、請求項1から17のいずれか一項に記載の方法。
【国際調査報告】
2018522662.tif 000009
2018522662.tif 000010